Podtech/llm-jp-corpus-v4-ja_patent huggingface dataset:
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
70%以上の固形甘味料、7%〜12%の水、0.1%〜1.0%の脂質、0.1%〜0.5%のアラビアガムおよび0.1%〜0.5%のカルボキシメチルセルロース（ＣＭＣ）を含むアイシング組成物であって、 室温にて70,000cpa〜90,000cpaの粘度を有し、室温にてディップすることができ、且つ、食品に適用された際、室温にて15分以内で固まるアイシング組成物。
【請求項２】
前記固形甘味料が、糖、フォンダンおよびコーンシロップを含む、請求項１に記載のアイシング組成物。
【請求項３】
前記脂質が0.1〜0.5%のパーム核油であり、前記アラビアガムが0.1〜0.3%含まれており、前記ＣＭＣが0.1〜0.3%含まれている、請求項１または２に記載のアイシング組成物。
【請求項４】
前記ＣＭＣが低粘度のＣＭＣである、請求項１〜３のいずれか１項に記載のアイシング組成物。
【請求項５】
さらに0.04〜0.8%のジェランガムを含む、請求項１〜４のいずれか１項に記載のアイシング組成物。
【請求項６】
前記ジェランガムが0.04〜0.05%含まれており、前記アラビアガムが0.1〜0.3%含まれており、前記ＣＭＣが0.1〜0.3%含まれている、請求項５に記載のアイシング組成物。
【請求項７】
ベークド製品にアイシング組成物を適用する方法であって、
ａ）70%以上の固形甘味料、7%〜12%の水、0.1%〜1.0%の脂質、0.1%〜0.5%のアラビアガムおよび0.1%〜0.5%のカルボキシメチルセルロース（ＣＭＣ）を含むアイシング組成物を準備するステップ、
ｂ）室温にて前記アイシング組成物にベークド製品をディップするステップ、
ｃ）前記アイシングを15分以内にベークド製品上で固まらせるステップ
を含む方法。
【請求項８】
前記アイシング組成物がさらに0.04〜0.8%のジェランガムを含む、請求項７に記載の方法。
【請求項９】
ベークド製品上でアイシングを固まらせる前記ステップが10分以内で行われる、請求項７または８に記載の方法。
【請求項１０】
前記ベークド製品がドーナツである、請求項７〜９のいずれか１項に記載の方法。
【請求項１１】
前記ドーナツを華氏72度〜78度（22.2℃〜25.6℃）にて前記アイシング組成物にディップする、請求項１０に記載の方法。
【請求項１２】
ベークド製品にグレーズを適用する方法であって、
ａ）70%以上の固形甘味料、7%〜12%の水、0.1%〜1.0%の脂質、0.1%〜0.5%のアラビアガムおよび0.1%〜0.5%のカルボキシメチルセルロース（ＣＭＣ）を含む組成物を準備するステップ、
ｂ）前記組成物を華氏175度〜200度（79.4℃〜93.3℃）に加熱して透明なグレーズ液を得るステップ、
ｃ）ベークド製品をｂ）で得られた透明なグレーズ液にディップするステップ
ｄ）前記の透明なグレーズ液を固まらせるステップ
を含む方法。
【請求項１３】
前記組成物がさらに0.04〜0.8%のジェランガムを含む、請求項１２に記載の方法。
【請求項１４】
前記組成物において、前記脂質が0.1〜0.5%のパーム核油であり、前記アラビアガムが0.1〜0.3%であり、前記ＣＭＣが0.1〜0.3%である、請求項１２または１３に記載の方法。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2010512743.tif 000001
式中、Ｘは、
・水素；
・分枝状または非分枝状の、脂肪族または環式Ｃ１〜Ｃ１２アルキルまたはＣ２〜Ｃ１２アルケニル（各々はオキソ、ヒドロキシル、アミン、チオール、低級チオアルキル、低級アルコキシル、グアニジンおよび飽和の、または不飽和の複素環式部分の群から選択される１つまたは２つ以上の置換基で任意に置換されている）；
・式−Ｚ−Ｐｈｅで表される部分（式中、Ｚは、共有結合または、オキソ、ヒドロキシル、アミンおよび低級アルコキシルの群から選択される１つまたは２つ以上の置換基で任意に置換されている、分枝状もしくは非分枝状の飽和もしくは不飽和Ｃ１〜Ｃ６アルキレンを表し、式中Ｐｈｅは、ヒドロキシル、アミンおよび低級アルコキシルから選択された１つまたは２つ以上の置換基で任意に置換されたフェニルを表す）；
・式-Ｙ−ＣＯ−ＮＨＲにより表される部分（式中、Ｙは、オキソ、ヒドロキシル、アミン、チオール、低級チオアルキル、低級アルコキシルおよび低級カルボキシルの群から選択される１つまたは２つ以上の置換基で任意に置換されている、分枝状または非分枝状の飽和または不飽和Ｃ１〜Ｃ１２アルキレンを表す）；
を表し、
ただし、Ｘは、α炭素原子が水酸基で置換されている部分を表さず；
またここで、Ｒは、（ｉ）少なくとも２個の窒素原子を含む６員環複素環式環を含む部分（当該複素環式環は、さらにアミノ；ヒドロキシル；オキソ；アルキル；リボースおよびデオキシリボースならびにリボースおよびデオキシリボースのリン酸エステル類の群から選択される、１つまたは２つ以上の置換基で任意に置換されている）；または（ｉｉ）５員環複素環式環および６員環複素環式環を含む二環式縮合環系を含む部分（各々の環が少なくとも２個の窒素原子を含み、各々の環が、さらにアミノ；ヒドロキシル；オキソ；アルキル；リボースおよびデオキシリボースならびにリボースおよびデオキシリボースのリン酸エステル類の群から選択される、１つまたは２つ以上の置換基で任意に置換されている）を表す、
で表されるフレーバー調節物質ならびにこれらの食用の塩およびエステル類。
【請求項２】
Ｎ−アセチルＧＭＰ、Ｎ−ホルミルＧＭＰ、Ｎ−プロパノイルＧＭＰ、Ｎ−ブタノイルＧＭＰ、Ｎ−ペンタノイルＧＭＰ、Ｎ−ヘキサノイルＧＭＰ、Ｎ−ヘプタノイルＧＭＰ、Ｎ−オクタノイルＧＭＰ、Ｎ−オキサリルＧＭＰ、Ｎ−スクシニルＧＭＰ、Ｎ−グルタリルＧＭＰ、Ｎ−フマリルＧＭＰ、Ｎ−マレイルＧＭＰ、Ｎ−アジピルＧＭＰ、Ｎ−シトリルＧＭＰ、Ｎ−ガロイルＧＭＰ、Ｎ−オキサルアセチル−ＧＭＰ、Ｎ−フェルロイルＧＭＰ、Ｎ−ピルビルＧＭＰ、Ｎ−ベンゾイルＧＭＰ、Ｎ−バニロイルＧＭＰ、Ｎ−アントラノイルＧＭＰ、Ｎ−カフェオイルＧＭＰ、Ｎ−シナモイルＧＭＰ、これらの食用の塩類およびこれらの食用のエステル類の群から選択された、フレーバー調節物質。
【請求項３】
請求項１または２において定義された、１種または２種以上のフレーバー調節物質をフレーバー調節量で含む、食料品、飲料、医薬、口腔ケア用品およびタバコ製品の群から選択される製品。
【請求項４】
請求項１または２において定義された１種または２種以上のフレーバー調節物質をフレーバー調節量で前記製品中に導入することを含む、食料品、飲料、医薬、口腔ケア用品およびタバコ製品の群から選択される製品のフレーバーを改善する方法。
【請求項５】
（ｉ）炭水化物源；（ｉｉ）窒素源（前記窒素源は、０．５〜１００重量％の式ＮＨ２Ｒで表され、式中Ｒが請求項１において定義したのと同一の意味を有する１種または２種以上のアミンを含む）；および（ｉｉｉ）式（ＩＩ）で表される１種または２種以上のカルボン酸類および／またはこれらの塩類：
【化２】
2010512743.tif 000002
式中、Ｘは請求項１において定義されたものと同一の意味を有する、
の混合物を加熱することを含む、プロセスフレーバー調製物の製造方法。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
５００個未満のヌクレオチドの単離核酸分子であって、ｍｉｒ−２０８−２（配列番号７）を含むことを特徴とする、単離核酸分子。
【請求項２】
単離核酸分子の長さが２００ヌクレオチド未満である、請求項１に記載の単離核酸分子。
【請求項３】
単離核酸分子の長さが１００ヌクレオチド未満である、請求項１に記載の単離核酸分子。
【請求項４】
単離核酸分子が配列番号１、配列番号２、配列番号３および配列番号４から成る群から選択される、請求項１〜３のいずれかに記載の単離核酸分子。
【請求項５】
単離核酸分子が配列番号７から成る、請求項１〜４のいずれかに記載の単離核酸分子。
【請求項６】
５００個未満のヌクレオチドの単離核酸分子であって、配列番号１、配列番号２、配列番号３および配列番号４から成る群から選択される核酸配列に相補的である核酸配列から成る、単離核酸分子。
【請求項７】
配列番号８から成る、請求項６に記載の単離核酸。
【請求項８】
８〜５０ヌクレオチド長を有する単離核酸分子であって、生理的条件下、好ましくは細胞内で請求項６の単離核酸分子とハイブリダイズして、ｍｉｒ−２０８−２（配列番号７）の機能を阻害することができる、単離核酸分子。
【請求項９】
配列番号１０〜配列番号７７から成る群から選択される、請求項８に記載の単離核酸分子。
【請求項１０】
所望により
ａ）３’キャップ；
ｂ）５’キャップ；
ｃ）修飾ヌクレオシド間結合；または
ｄ）修飾糖または塩基部分
から選択される１種以上の化学修飾を含む、アンチセンスオリゴデオキシヌクレオチド（ＡＳＯ）または二本鎖オリゴリボヌクレオチド（ｄｓＲＮＡ）である請求項８または９に記載の単離核酸分子。
【請求項１１】
ａ）３’キャップ；
ｂ）５’キャップ；
ｃ）修飾ヌクレオシド間結合；または
ｄ）修飾糖または塩基部分
から選択される１種以上の化学修飾を含む、請求項１〜９のいずれかに記載の単離核酸分子。
【請求項１２】
配列番号７および配列番号８から成る群から選択される核酸配列と、少なくとも１個のベクター増殖（propagation）配列を含む核酸ベクター。
【請求項１３】
医薬として使用するための、請求項１〜６のいずれかに記載の単離核酸分子。
【請求項１４】
脂質またはポリマー利用医薬送達系における、請求項１または６に記載の核酸分子を含む組成物。
【請求項１５】
医薬として使用するための、請求項１２に記載の核酸ベクター。
【請求項１６】
請求項１２の核酸ベクターを含む細胞。
【請求項１７】
筋疾患を処置するための医薬組成物であって、請求項１３に記載の単離核酸分子を含む組成物。
【請求項１８】
心臓血管障害を処置するための医薬組成物であって、請求項１３に記載の単離核酸分子を含む組成物。
【請求項１９】
筋疾患または心臓血管障害の処置用医薬の製造のための、請求項１〜６のいずれかに記載の単離核酸分子の使用。
【請求項２０】
心臓血管障害の診断または処置戦略の決定に使用するためのキットであって、ＲＮＡ、ＤＮＡ、混合ＲＮＡまたはＤＮＡにおける請求項１〜９のいずれかに記載の核酸分子と、所望によりいずれかの化学修飾を含む核酸試薬を含むキット。
【請求項２１】
細胞中のｍｉｒ−２０８−２発現を低下または上昇させるための組成物であって、請求項１〜６のいずれかに記載の単離核酸分子を含む組成物。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
低アシルジェランガムの製造法であって、
ａ．スフィンゴモナス・エロデアを発酵ブロス中で発酵させるステップと；
ｂ．発酵ブロスを化学的／酵素的方法によって清澄化するステップと；
ｃ．清澄化発酵ブロスを苛性剤で脱アシル化するステップと；そして
ｄ．発酵ブロスからジェランガムを沈殿させるステップと
を含み、
沈殿ジェランガムが、０．２％ジェランガムのカードメーターゲル強度、少なくとも３００ｇ／ｃｍ２を有する、
方法。
【請求項２】
沈殿ジェランガムが、０．１％ジェランガムのカードメーターゲル強度、少なくとも１１７ｇ／ｃｍ２を有する、請求項１に記載の方法。
【請求項３】
沈殿ジェランガムが、０．１％ジェランガムのカードメーターゲル強度、１１７ｇ／ｃｍ２〜４００ｇ／ｃｍ２を有する、請求項１又は２に記載の方法。
【請求項４】
Ｓ・エロデアがＰＨＢ欠損株である、請求項１〜３のいずれかに記載の方法。
【請求項５】
清澄化ステップが、
ａ．３０℃〜７０℃の範囲の温度に加熱するステップと；
ｂ．一つ又は複数のキレート剤及び一つのリゾチーム酵素と組み合わせた一つ又は複数の抗酸化剤で処理するステップと；
ｃ．一つ又は複数の界面活性剤で処理するステップと；そして
ｄ．プロテアーゼ酵素で処理するステップと
を含む、請求項１〜４のいずれかに記載の方法。
【請求項６】
抗酸化剤が亜硫酸ナトリウムである、請求項５に記載の方法。
【請求項７】
キレート剤が、エチレンジアミン四酢酸二ナトリウム、エチレンジアミン四酢酸二カリウム、エチレンジアミン四酢酸四ナトリウム、エチレンジアミン四酢酸四カリウム、クエン酸、クエン酸三ナトリウム、クエン酸三カリウム、ヘキサメタリン酸ナトリウム、ヘキサメタリン酸カリウム、ポリリン酸ナトリウム、ポリリン酸カリウム、ピロリン酸ナトリウム、ピロリン酸カリウム、リン酸一ナトリウム、リン酸一カリウム、リン酸二ナトリウム、リン酸二カリウム、リン酸三ナトリウム、リン酸三カリウム、炭酸水素ナトリウム、炭酸ナトリウム、炭酸カリウム、炭酸水素カリウム、陽イオン交換樹脂、エチレンジアミン二塩酸塩、エチレンジアミン二酢酸塩、エチレンジアミンリチウム塩、及びエチレンジアミン二ヨウ化水素酸塩からなる群から選ばれる、請求項５又は６に記載の方法。
【請求項８】
キレート剤がエチレンジアミン四酢酸二ナトリウムである、請求項５〜７のいずれかに記載の方法。
【請求項９】
キレート剤がクエン酸である、請求項５〜７のいずれかに記載の方法。
【請求項１０】
界面活性剤が、ドデシル硫酸ナトリウム、モノオレイン酸ポリオキシエチレンソルビタン、レシチン、モノグリセリド類、モノグリセリド類の酒石酸エステル類、リン酸化モノグリセリド類、ラクチル化モノグリセリド類、アセチル化モノグリセリド類、スクシニル化モノグリセリド類、エトキシル化モノグリセリド類、ソルビタンエステル類、ポリソルベート類、ポリグリセロールエステル類、スクロースエステル類、ステアロイル乳酸ナトリウム、及びプロピレングリコールエステル類からなる群から選ばれる、請求項５に記載の方法。
【請求項１１】
界面活性剤がドデシル硫酸ナトリウムである、請求項５に記載の方法。
【請求項１２】
苛性剤が、水酸化カリウム、水酸化ナトリウム、及びリン酸三ナトリウムからなる群から選ばれる、請求項１〜４のいずれかに記載の方法。
【請求項１３】
苛性剤が水酸化カリウムである、請求項１〜４のいずれかに記載の方法。
【請求項１４】
請求項１〜４のいずれかに記載の方法によって製造されるジェランガム。
【請求項１５】
ジェランガムが０．２％ジェランガムのカードメーターゲル強度、少なくとも３００ｇ／ｃｍ２を有する、２．０％未満の総アシル含有量を含むジェランガム。
【請求項１６】
ジェランガムが０．１％ジェランガムのカードメーターゲル強度、少なくとも１１７ｇ／ｃｍ２を有する、２．０％未満の総アシル含有量を含む、請求項15に記載のジェランガム。
【請求項１７】
０．１％ジェランガムのカードメーターゲル強度が１１７ｇ／ｃｍ２〜４００ｇ／ｃｍ２である、請求項１５又は１６に記載のジェランガム。
【請求項１８】
再水和された水中１％のジェランガムが少なくとも６０％の光透過率を有する、請求項１５又は１６に記載のジェランガム。
【請求項１９】
ジェランガムが、テクスチャープロファイル分析硬度、少なくとも９ポンド（ｌｂ）を有する、請求項１５又は１６に記載のジェランガム。
【請求項２０】
ジェランガムが、１％ジェランガムの９０℃熱粘度、少なくとも２５ｃＰを有する、請求項１５又は１６に記載のジェランガム。
【請求項２１】
請求項１４、１５、１６又は１８に記載のジェランガムを含む工業製品。
【請求項２２】
製品が、飲料、菓子、ジャム及びゼリー、加工食品、水性ゲル、パイの詰め物、デザートゲル、アイシング、ヨーグルト、プディング、ホイップ、クリーマー、ゲル化ミルク、及びアイスクリームからなる群から選ばれる、請求項２１に記載の工業製品。
【請求項２３】
製品が、ゲル化ペットフード、微生物及び組織用培地、液体クリーナー、練り歯磨き、石鹸及びボディソープ、脱臭用ゲル、空気清浄用ゲル、及び軟質カプセルからなる群から選ばれる、請求項２１に記載の工業製品。
【請求項２４】
ジェランガムが、工業製品に使用される現在入手可能な市販の低アシルジェランガムの濃度より１５％〜９０％低い濃度で使用される、請求項２１に記載の工業製品。
【請求項２５】
ジェランガムが、カラギーナン、ローカストビーンガム、コンニャク、及びキサンタンガムからなる群から選ばれる少なくとも一つのゲル化ハイドロコロイドと共に使用される、請求項２１に記載の工業製品。
【請求項２６】
ジェランガムが０．１％ジェランガムのカードメーターゲル強度、少なくとも１１７ｇ／ｃｍ２を有するジェランガムの製造法であって、
ａ．スフィンゴモナス・エロデアを発酵ブロス中で発酵させるステップと；
ｂ．発酵ブロスを苛性剤で脱アシル化するステップと；
ｃ．発酵ブロスをろ過によって清澄化するステップと；そして
ｄ．清澄化された発酵ブロスからジェランガムを沈殿させるステップと
を含む方法。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
図２（配列番号２）の８８から２０５２番目の残基を含む核酸配列。
【請求項２】
バシルス  リチェニフォルミス（Ｂａｃｉｌｌｕｓ  ｌｉｃｈｅｎｉｆｏｒｍｉｓ）アルファ‐アミラーゼのシグナルペプチドをコードする核酸配列に作動的に連結する請求項１に記載の核酸配列。
【請求項３】
配列番号４（図４）の３０から６８３番目の残基を含むポリペプチドの欠損型をコードする核酸であって、前記欠損型が配列番号４の４９２、５０４、又は５０９番目の残基で終了している核酸。
【請求項４】
請求項１又は３のいずれかの核酸配列によりコードされるポリペプチド。
【請求項５】
欠損型が配列番号４（図４）の４９２、５０４、又は５０９番目の残基でのカルボキシ末端を有することを特徴とする、請求項４に記載のポリペプチド。
【請求項６】
請求項１から３のいずれかの核酸に作動的に連結するベクター。
【請求項７】
請求項１から３のいずれかの核酸を含む単離される宿主細胞。
【請求項８】
請求項６のベクターを含む単離される宿主細胞。
【請求項９】
前記宿主細胞がバシルス  ズブチリス（Ｂ．  ｓｕｂｔｉｌｉｓ）、バシルス  リチェニフォルミス（Ｂ．  ｌｉｃｈｅｎｉｆｏｒｍｉｓ）、バシルス  レンツス（Ｂ．  ｌｅｎｔｕｓ）、  バシルス  ブレビス（Ｂ．  ｂｒｅｖｉｓ）、バシルス  ステアロテルモフィルス（Ｂ．  ｓｔｅａｒｏｔｈｅｒｍｏｐｈｉｌｕｓ）、バシルス  アルカロフィリス（Ｂ．  ａｌｋａｌｏｐｈｉｌｕｓ）、バシルス  アミロリケファシエンス（Ｂ．  ａｍｙｌｏｌｉｑｕｅｆａｃｉｅｎｓ）、バシルス  コアグランス（Ｂ．  ｃｏａｇｕｌａｎｓ）、バシルス  シルクランス（Ｂ．  ｃｉｒｃｕｌａｎｓ）、バシルス  ランツス（Ｂ．  ｌａｕｔｕｓ）、  バシルス  ツリンギエンシス（Ｂ．  ｔｈｕｒｉｎｇｉｅｎｓｉｓ）ストレプトミセス  リビダンス（Ｓｔｒｅｐｔｏｍｙｃｅｓ  ｌｉｖｉｄａｎｓ）又はストレプトミセス  ムリナス（Ｓ．  ｍｕｒｉｎｕｓ）、  又は大腸菌（Ｅｓｃｈｅｒｉｃｈｉａ  ｃｏｌｉ）から選択される細菌であることを特徴とする、請求項８に記載の単離される宿主細胞。
【請求項１０】
任意に非ダスティング粒状、マイクロ粒状、安定化液、ゲル、又は保護酵素の形態を特徴とする、請求項４に記載のポリペプチドを含む洗剤添加物。
【請求項１１】
欠損型が１０％ＳＤＳ−ＰＡＧＥゲル上で約４９ｋＤａから約６９ｋＤａの分子量を有することを特徴とする、請求項１０に記載の洗剤添加物。
【請求項１２】
前記洗剤添加物が洗剤添加物の１グラム対して約０．０２ｍｇから約２００ｍｇのポリペプチドを含むことを特徴とする、請求項１０に記載の洗剤添加物。
【請求項１３】
プロテアーゼ、リパーゼ、ペルオキシダーゼ、オキシダーゼ、デンプン分解酵素、セルラーゼ、ポリエステラーゼ、及びこれらの組み合わせからなる群から選択される酵素をさらに含むことを特徴とする、請求項１０に記載の洗剤添加物。
【請求項１４】
請求項１０から１３のいずれかの洗剤添加物を含む洗剤組成物。
【請求項１５】
前記洗剤組成物が、一以上の界面活性剤、漂白システム又は漂白、洗剤ビルダー、ポリマー、安定剤、繊維コンディショナー、泡立ち剤、泥抑制剤、抗腐食剤、染料、香料、泥懸濁剤、曇り防止剤、蛍光増白剤、又は殺菌剤を任意的に含むことを特徴とする、請求項４又は５のいずれかのポリペプチドを含む洗剤組成物。
【請求項１６】
プロテアーゼ、リパーゼ、ペルオキシダーゼ、オキシダーゼ、デンプン分解酵素、セルラーゼ、ポリエステラーゼ、及びこれらの組み合わせからなる群から選択される酵素をさらに含むことを特徴とする、請求項１５に記載の洗剤組成物。
【請求項１７】
請求項４又は５のいずれかのポリペプチドを含む手動又は自動食器洗浄洗剤組成物。
【請求項１８】
請求項１７に記載の手動又は自動食器洗浄洗剤をそれらの必要性がある食器に適用することを含む食器洗浄方法。
【請求項１９】
請求項１０から１３のいずれかの洗剤添加物を含む洗濯洗剤組成物。
【請求項２０】
請求項１２から１４のいずれかの洗剤組成物で溶液中の汚れた繊維を洗浄することを含む繊維洗浄方法。
【手続補正書】
【提出日】平成22年11月18日(2010.11.18)
【手続補正１】
【補正対象書類名】特許請求の範囲
【補正対象項目名】全文
【補正方法】変更
【補正の内容】
【特許請求の範囲】
【請求項１】
ブラケットの近心側面と係合する接触パッドを包含する第１のつかみ具と、
相対的に動くように前記第１のつかみ具に連結された、前記ブラケットの遠心側面と係合する接触パッドを包含する第２のつかみ具と、
前記第１のつかみ具と前記第２のつかみ具との間を延び、外側端部を有するブレードであって、前記接触パッドが前記ブラケットの前記側面と係合しているとき、前記ブラケットのチャネル内に受け入れられるように、前記外側端部が前記接触パッドの間に位置するブレードとを備える、歯科矯正用ブラケットを歯から取り外すための手用器具。
【請求項２】
歯科矯正用アセンブリであって、
近心側面を有する近心区画及び遠心側面を有する遠心区画を含み、前記近心区画と前記遠心区画との間を延びるチャネルを更に包含する歯科矯正用ブラケットと、
前記ブラケットの前記近心側面と係合する接触パッドを有する第１のつかみ具と、前記ブラケットの前記遠心側面と係合する接触パッドを有する第２のつかみ具とを含み、前記第１のつかみ具が、前記第２のつかみ具に向かう方向及びそれから離れる方向で相対移動するように前記第２のつかみ具に接続された手用器具であって、前記第１のつかみ具と前記第２のつかみ具との間を延びるブレードを更に包含し、前記接触パッドが前記ブラケットの前記近心側面及び前記遠心側面と係合しているとき、前記ブレードが前記ブラケットの前記チャネル内へと延びる手用器具とを備える、歯科矯正用アセンブリ。
【手続補正書】
【提出日】平成23年6月6日(2011.6.6)
【手続補正１】
【補正対象書類名】特許請求の範囲
【補正対象項目名】全文
【補正方法】変更
【補正の内容】
【特許請求の範囲】
【請求項１】
超音速領域を生成するガスジェットを与えて破砕可能材料を粉砕するべく構成されて微粉化ジェットミルでの使用に適したジェットノズルであって、
通路によりつながれた第１開口端及び第２開口端を有するノズル本体と、
前記通路内に配置されて前記ノズル本体の前記第２開口端から外方へ延びるコアンダ効果誘導要素と
を含み、
前記コアンダ効果誘導要素が前記ノズル本体の前記第２開口端から外方へコアンダ効果の発生を確保するのに十分な距離だけ延びることによって前記超音速領域が前記ノズル本体から外側へ延びるジェットノズル。
【請求項２】
前記コアンダ効果誘導要素は、前記ノズル本体の前記第２開口端の幾何学構成に対応する幾何学構成を有する、請求項１に記載のジェットノズル。
【請求項３】
前記ノズル本体の前記第２開口端はスロット状構成を有する、請求項２に記載のジェットノズル。
【請求項４】
前記ノズル本体の前記第２開口端は、２つの長い方の実質的に内向きの双曲線側部と、対向する実質的に丸い端部とによって画定されたスロット状構成を有する、請求項２に記載のジェットノズル。
【請求項５】
前記コアンダ効果誘導要素は、前記第２開口端から２．５ｍｍから３８．１ｍｍだけ外方へ延びる、請求項１に記載のジェットノズル。
【請求項６】
前記コアンダ効果誘導要素の外表面と前記スロット状開口の内表面とはギャップを画定し、
前記コアンダ効果誘導要素の、前記第２開口端の構成に適合する部分は、前記ギャップの１０倍から２０倍の範囲の距離だけ前記通路内に延びる、請求項３に記載のジェットノズル。
【請求項７】
前記ノズル本体の第１開口端は内部ねじを担持し、
前記コアンダ効果誘導要素の外表面と前記スロットの内表面とは空気路を画定し、
前記ジェットノズルは、前記ノズル本体の第１開口端内に配置されて前記コアンダ効果誘導要素を前記通路内に固定するコアンダ効果誘導要素保持具をさらに含む、請求項３に記載のジェットノズル。
【請求項８】
前記保持具は、当該保持具を通る通路を有する、請求項７に記載のジェットノズル。
【請求項９】
前記コアンダ効果誘導要素は前記ノズル本体の前記第１開口端と前記第２開口端とをつなぐ前記通路内に調整可能に配置される、請求項１に記載のジェットノズル。
【請求項１０】
前記コアンダ効果誘導要素の外表面と前記スロット状開口の内表面とはギャップを画定し、
前記コアンダ効果誘導要素の、前記第２開口端の構成に適合する部分は、前記ギャップの１０倍から２０倍の範囲の距離だけ前記通路内に延びる、請求項５に記載のジェットノズル。
【請求項１１】
前記第２開口端は、２つの長い方の実質的に内向きの双曲線側部と、対向する実質的に丸い端部とによって画定されたスロット状構成を有する、請求項１０に記載のジェットノズル。
【請求項１２】
請求項１から１１のいずれか１項に記載のジェットノズルを含む微粉化装置ジェットミル。
【手続補正２】
【補正対象書類名】明細書
【補正対象項目名】００１９
【補正方法】変更
【補正の内容】
【００１９】
超音速領域３１内への粒子取り込みの向上は、図５と図６との比較から明らかである。図５及び図６は、代表粒子軌跡線３３及び３７に対するジェット領域３５の影響を示す。図６において、粒子軌跡線は、４つの代表粒子軌跡３７が超音速領域３１内に引き込まれる一方で、超音速領域３１に入らない粒子軌跡３３が２つのみであることを示す。対照的に、図５は、コアンダ効果誘導要素３０がない場合のジェットの作用を示す。図５に示されるように、４つの粒子軌跡３３はジェット領域３５に入らない。ジェット領域３５によって取り込まれる粒子軌跡３７は２つのみである。したがって、コアンダ効果誘導要素３０をノズル１０内で使用することにより、図４及び図６に示されるような超音速領域３１の効率が向上する。それに対応して、所望の粉砕程度に対する蒸気の使用を低減することができる。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
患者の体内管腔内に移植するためのステントであって、
複数のストラットを含んでなるステント側壁構造と、少なくとも１つのストラットは、管外側表面と、管外側表面の反対側の管腔側表面と、第１の側面と、第１の側面の反対側の第２の側面とを含むことと、第１および第２の側面は互いに隣接して、管外側表面および管腔側表面を接続することと、
前記ストラットの全表面に配置されるように、管外側表面、管腔側表面、第１および第２の側面、ならびにストラットのその他の表面に配置される、第１のポリマーを含む内側コーティング組成物と、該内側コーティング組成物は、ストラットの表面に付与されるときには治療薬を全く含まず、管腔側表面に配置された内側コーティング組成物は、露出された表面を形成することと、
管外側表面または第１の側面もしくは第２の側面のうち少なくとも１つに配置された内側コーティング組成物の少なくとも一部の上に配置され、かつ管腔側表面には配置されない外側コーティング組成物と、該外側コーティング組成物は第１の治療薬および第１のポリマーを含むことと
を備えるステント。
【請求項２】
内側コーティング組成物が前記ストラットの全表面の上に直接配置される、請求項１に記載のステント。
【請求項３】
外側コーティング組成物が内側コーティング組成物の上に直接配置される、請求項１に記載のステント。
【請求項４】
外側コーティング組成物は、管外側表面に配置された内側コーティング組成物の少なくとも一部の上と、第１の側面または第２の側面に配置された内側コーティング組成物の少なくとも一部の上とに配置される、請求項１に記載のステント。
【請求項５】
外側コーティング組成物が、第１の側面および第２の側面に配置された内側コーティング組成物の少なくとも一部の上に配置される、請求項４に記載のステント。
【請求項６】
第１の治療薬が、抗血栓形成剤、抗血管新生剤、抗増殖剤、抗再狭窄薬、成長因子、または放射性化学薬品を含む、請求項１に記載のステント。
【請求項７】
第１の治療薬は、パクリタキセル、シロリムス、エベロリムス、ピメロリムス、タクロリムス、またはゾタロリムスを含む、請求項１に記載のステント。
【請求項８】
患者の血管内に移植するための血管内ステントであって、
複数のストラットを含んでなるステント側壁構造と、少なくとも１つのストラットは、管外側表面と、管外側表面の反対側の管腔側表面と、第１の側面と、第１の側面の反対側の第２の側面とを含むことと、第１および第２の側面は互いに隣接して、管外側表面および管腔側表面を接続することと、
ストラットの全表面の上に直接配置されるように、管外側表面、管腔側表面、第１および第２の側面、ならびにストラットのその他の表面の上に直接配置される、生物学的に安定性を有する第１のポリマーを含む内側コーティング組成物と、該内側コーティング組成物は、ストラットの表面に付与されるときには治療薬を全く含まず、管腔側表面に配置された内側コーティング組成物は、露出された表面を形成することと、
管外側表面に配置された内側コーティング組成物の少なくとも一部の上と、第１の側面および第２の側面に配置された内側コーティング組成物の少なくとも一部の上とに配置され、かつ管腔側表面には配置されない外側コーティング組成物と、該外側コーティング組成物は抗再狭窄薬および第１のポリマーを含むことと
を備える血管内ステント。
【手続補正書】
【提出日】平成22年12月14日(2010.12.14)
【手続補正１】
【補正対象書類名】特許請求の範囲
【補正対象項目名】請求項９
【補正方法】変更
【補正の内容】
【請求項９】
前記メモリ（３４）は、投与計画（ＤＳ１、ＤＳ２、ＤＳ３）を含み、前記記録装置は、前記装置（１４）が新たなブリスタに取り付けられたことが検出されたときに、前記投与計画をリセットするか、または他の投与計画へ変更するように構成されている、請求項８に記載の装置（１４）。
【手続補正書】
【提出日】平成22年12月13日(2010.12.13)
【手続補正１】
【補正対象書類名】明細書
【補正対象項目名】００５３
【補正方法】変更
【補正の内容】
【００５３】
また、サーバー制御部２６０は、ゴルフレッスン装置１００から伝送されるスイング動画を分析して、レッスン動画を提供する場合に、スイング動画が受信され次第レッスン動画を生成して、ゴルフレッスン装置１００に伝送して再生することもでき、使用者が要請した時間および場所に合わせて、該ゴルフ場またはゴルフ練習場の該打席のゴルフレッスン装置１００で自動的に再生することができる。
【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
ａ．ハンドルと、
ｂ．ハンドルの末端のブラシヘッドと、
ｃ．複数の不透明な白色合成モノフィラメントと
を含むブラシであって、前記モノフィラメントが、約０．５重量％以下の紫外線減衰成分を含み、そして前記モノフィラメントが、ＡＳＴＭ  Ｇ２６に従って試験したときに平均してその初期の強度および可撓性の少なくとも約６５％を保持するブラシ。
【請求項２】
約０．５重量％以下の紫外線減衰成分を含み、ＡＳＴＭ  Ｇ２６に従って試験したときにその初期の強度および可撓性の少なくとも約６５％を保持する不透明な白色合成モノフィラメント。
【請求項３】
請求項２に記載のモノフィラメントを含む研磨フィラメント、化粧品、ペイントブラシ、毛筆、ろ過媒体、モノフィラメント布帛、かつら用の人工毛髪、または人形の毛髪。
【請求項４】
（ｉ）ハンドルと、
（ｉｉ）ハンドルの末端のブラシヘッドと、
（ｉｉｉ）複数の不透明な着色合成モノフィラメントと
を含むブラシであって、前記モノフィラメントが、約０．５重量％以下の紫外線減衰成分を含み、そして前記モノフィラメントが、ＡＳＴＭ  Ｇ２６に従って試験したときに平均してその初期の強度および可撓性の少なくとも約７０％を保持するブラシ。
【請求項５】
前記ブラシが、歯ブラシ、ペイントブラシ、化粧用ブラシ、または毛筆である請求項４に記載のブラシ。
【請求項６】
約０．５重量％以下の紫外線減衰成分を含み、ＡＳＴＭ  Ｇ２６に従って試験したときにその初期の強度および可撓性の少なくとも約７０％を保持する不透明な着色合成モノフィラメント。
【請求項７】
請求項６に記載のモノフィラメントを含む研磨フィラメント、化粧品、ペイントブラシ、毛筆、ろ過媒体、モノフィラメント布帛、かつら用の人工毛髪、または人形の毛髪。
【手続補正２】
【補正対象書類名】明細書
【補正対象項目名】００３９
【補正方法】変更
【補正の内容】
【００３９】
実施例３
０．０９９９重量％のＴｉＯ２と一緒に青色顔料（フタロシアニンブルー、０．００５％）を添加したことを除いて実施例１に記載されるものと同じ方法および試験条件を用いて、実施例３の青色の不透明フィラメントを製造し、表１に示される以下の結果を得た。同じ青色顔料を比較サンプルで用いた。
なお、本発明は、特許請求の範囲を含め、以下の発明を包含する。
１．ａ．ハンドルと、
ｂ．ハンドルの末端のブラシヘッドと、
ｃ．複数の不透明な白色合成モノフィラメントと
を含むブラシであって、前記モノフィラメントが、約０．５重量％以下の紫外線減衰成分を含み、そして前記モノフィラメントが、ＡＳＴＭ  Ｇ２６に従って試験したときに平均してその初期の強度および可撓性の少なくとも約６５％を保持するブラシ。
２．複数の合成モノフィラメントを含む、１に記載のブラシにおいて使用するための房であって、前記モノフィラメントが、約０．５重量％以下の紫外線減衰成分を含み、そして前記モノフィラメントが、ＡＳＴＭ  Ｇ２６に従って試験したときにその初期の強度および可撓性の少なくとも約６５％を保持する房。
３．前記ブラシが、歯ブラシ、ペイントブラシ、化粧用ブラシ、または毛筆である１に記載のブラシ。
４．約０．５重量％以下の紫外線減衰成分を含み、ＡＳＴＭ  Ｇ２６に従って試験したときにその初期の強度および可撓性の少なくとも約６５％を保持する不透明な白色合成モノフィラメント。
５．前記モノフィラメントが、ナイロン６、ナイロン６６、ナイロン６１０、ナイロン６１２、ナイロン６１４、ナイロン１０１０、ポリエステル、ポリオレフィン、またはこれらのブレンドからなる群から選択されるポリマーを含む４に記載のモノフィラメント。
６．前記紫外線減衰成分が、４００ｎｍ以下の粒径を有する顔料である４または５に記載のモノフィラメント。
７．前記紫外線減衰顔料が、二酸化チタン、酸化亜鉛、硫化亜鉛、および酸化セリウムからなる群から選択される６に記載のモノフィラメント。
８．前記紫外線減衰顔料が、約２００ｎｍ以下の粒径を有する７に記載のモノフィラメント。
９．４〜８のいずれか一項に記載のモノフィラメントを含む研磨フィラメント、化粧品、ペイントブラシ、毛筆、ろ過媒体、モノフィラメント布帛、かつら用の人工毛髪、または人形の毛髪。
１０．（ｉ）ハンドルと、
（ｉｉ）ハンドルの末端のブラシヘッドと、
（ｉｉｉ）複数の不透明な着色合成モノフィラメントと
を含むブラシであって、前記モノフィラメントが、約０．５重量％以下の紫外線減衰成分を含み、そして前記モノフィラメントが、ＡＳＴＭ  Ｇ２６に従って試験したときに平均してその初期の強度および可撓性の少なくとも約７０％を保持するブラシ。
１１．複数の合成モノフィラメントを含む、１０に記載のブラシにおいて使用するための房であって、前記モノフィラメントが、約０．５重量％以下の紫外線減衰成分を含み、そして前記モノフィラメントが、ＡＳＴＭ  Ｇ２６に従って試験したときにその初期の強度および可撓性の少なくとも約７０％を保持する房。
１２．前記ブラシが、歯ブラシ、ペイントブラシ、化粧用ブラシ、または毛筆である１０に記載のブラシ。
１３．約０．５重量％以下の紫外線減衰成分を含み、ＡＳＴＭ  Ｇ２６に従って試験したときにその初期の強度および可撓性の少なくとも約７０％を保持する不透明な着色合成モノフィラメント。
１４．前記モノフィラメントが、ナイロン６、ナイロン６６、ナイロン６１０、ナイロン６１２、ナイロン６１４、ナイロン１０１０、ポリエステル、ポリオレフィン、またはこれらのブレンドからなる群から選択されるポリマーを含む１３に記載のモノフィラメント。
１５．前記紫外線減衰成分が、４００ｎｍ以下の粒径を有する顔料である１３または１４に記載のモノフィラメント。
１６．前記紫外線減衰顔料が、二酸化チタン、酸化亜鉛、硫化亜鉛、および酸化セリウムからなる群から選択される１５に記載のモノフィラメント。
１７．前記紫外線減衰顔料が、約２００ｎｍ以下の粒径を有する１６に記載のモノフィラメント。
１８．１３〜１７のいずれか一項に記載のモノフィラメントを含む研磨フィラメント、化粧品、ペイントブラシ、毛筆、ろ過媒体、モノフィラメント布帛、かつら用の人工毛髪、または人形の毛髪。
【手続補正書】
【提出日】平成22年11月19日(2010.11.19)
【手続補正１】
【補正対象書類名】特許請求の範囲
【補正対象項目名】全文
【補正方法】変更
【補正の内容】
【特許請求の範囲】
【請求項１】
有効量の生物学的因子；および
生体適合性の液体、生分解性ポリマーおよびリン酸カルシウム化合物を含むキャリアスラリー；
を含む、骨形成を促進するための組成物。
【請求項２】
生物学的因子が、BMP-2、BMP-3、BMP-4、BMP-5、BMP-6、BMP-7、BMP-8、BMP-9、BMP-10、BMP-11、BMP-12、BMP-13、BMP-15、BMP-16、BMP-17、BMP-18、VEGF-A、VEGF-B、VEGF-C、VEGF-D、VEGF-E、CTGF-1、CTGF-2、CTGF-3、オステオプロテジェリン（Osteoprotegerin）、TGF-β-1、TGF-β-2、TGF-β-3、抗-TNFα、PDGF-A、PDGF-B、PDGF-C、PDGF-D、GDF-5、スタチン、Nell-1タンパク質、LIM ミネラル化タンパク質およびペプチド、IGF-I、IGF-II、FGF、BDGF II、それらの組換え版、およびそれらのヘテロダイマーからなる群から選択される、請求項1に記載の組成物。
【請求項３】
生物学的因子が、骨形成タンパク質（BMP）である、請求項1または2に記載の組成物。
【請求項４】
生物学的因子が1〜30日の期間にわたり放出される、請求項1〜3のいずれか1項に記載の組成物。
【請求項５】
生体適合性の液体の乾燥キャリアに対する容量比が約1：1〜1：4である、請求項1〜4のいずれか1項に記載の組成物。
【請求項６】
組成物中の生物学的因子濃度が、1 ccのキャリアスラリーあたり約0.01〜10 mgの生物学的因子（mg/cc）である、請求項1〜5のいずれか1項に記載の組成物。
【請求項７】
生分解性ポリマーが、コラーゲン、ヒアルロン酸、キトサン、カルボキシメチルセルロース、アルギン酸、シルク、エラスチン、フィブリン糊、トロンビンを有するかまたは有さない骨髄、およびこれらの組合せからなる群から選択される天然のポリマーである、請求項1〜6のいずれか1項に記載の組成物。
【請求項８】
生分解性ポリマーが、ポリエチレングリコール（PEG）、ポリビニルアルコール（PVA）、ポリオルトエステル（POE）、ポリ乳酸（PLA）、ポリグリコール酸（PGA）、ポリ乳酸-グリコール酸（PLGA）、およびこれらの組合せからなる群から選択される合成ポリマーである、請求項1〜7のいずれか1項に記載の組成物。
【請求項９】
リン酸カルシウム化合物が、非晶質リン酸カルシウム、二相性リン酸カルシウム、リン酸カルシウム、第2リン酸カルシウム、第2リン酸カルシウム二水和物、カルシウムハイドロキシアパタイト、炭酸カルシウムハイドロキシアパタイト、第1リン酸カルシウム、第1リン酸カルシウム一水和物、リン酸オクタカルシウム、リン酸三カルシウム、α-リン酸三カルシウム、β-リン酸三カルシウム、リン酸テトラカルシウム、およびこれらの組合せから成る群から選択される、請求項1〜8のいずれか1項に記載の組成物。
【請求項１０】
生物学的因子；
生分解性ポリマー；
リン酸カルシウム化合物；および
アプリケーター；
を含む医薬用キット。
【請求項１１】
生体適合性の液体をさらに含む、請求項10に記載の医薬用キット。
【請求項１２】
生物学的因子および生体適合性の液体が、別個の容器中に含有される、請求項10または11に記載の医薬用キット。
【請求項１３】
生分解性ポリマーが、コラーゲン、ヒアルロン酸、キトサン、カルボキシメチルセルロース、アルギン酸、シルク、エラスチン、フィブリン糊、トロンビンを有するかまたは有さない骨髄、およびこれらの組合せからなる群から選択される天然のポリマーである、請求項10〜12のいずれか1項に記載の医薬用キット。
【請求項１４】
生分解性ポリマーが、ポリエチレングリコール（PEG）、ポリビニルアルコール（PVA）、ポリオルトエステル（POE）、ポリ乳酸（PLA）、ポリグリコール酸（PGA）、ポリ乳酸-グリコール酸（PLGA）、およびこれらの組合せからなる群から選択される合成ポリマーである、請求項10〜13のいずれか1項に記載の医薬用キット。
【請求項１５】
アプリケーターが、生物学的因子および生分解性ポリマーとリン酸カルシウム化合物とを生体適合性の液体により水和することにより得られるキャリアスラリーを、骨修復部位または整形外科用のインプラントに対して適用するために適合される、請求項11〜14のいずれか1項に記載の医薬用キット。
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
刃と、前記刃と連結する刃ホルダと、前記刃及び前記刃ホルダを受容するように構成される刃ガードと、を有する使い捨て式の刃カートリッジと、
遠位端を有する非使い捨て式のメスハンドルと、を備え、
前記使い捨て式の刃カートリッジは、前記非使い捨て式のメスハンドルの遠位端上へと摺動可能であって、前記使い捨て式の刃カートリッジが前記非使い捨て式のメスハンドルに係止可能である
ことを特徴とする安全メス。
【請求項２】
請求項１に記載の安全メスであって、
前記非使い捨て式のメスハンドルは、延出部材を備え、
前記使い捨て式の刃カートリッジは、前記延出部材と係合する留具を備え、
前記延出部材と係合する前記留具は、前記使い捨て式の刃カートリッジを前記非使い捨て式のメスハンドルに係止させる
ことを特徴とする安全メス。
【請求項３】
請求項２に記載の安全メスであって、
前記刃ホルダは、さらにホルダノブを備え、
前記ホルダノブは、前記刃が前記使い捨て式の刃カートリッジから露出しない閉鎖位置から、前記刃が前記使い捨て式の刃カートリッジから露出する開放位置へと前記刃を移動させることが可能である
ことを特徴とする安全メス。
【請求項４】
請求項３に記載の安全メスであって、
前記使い捨て式の刃カートリッジは、前記非使い捨て式のメスハンドルの開口と係合するように構成された係止機構を有する掛止アセンブリをさらに備え、
前記掛止アセンブリは、前記使い捨て式の刃カートリッジを前記非使い捨て式のメスハンドルに係止する
ことを特徴とする安全メス。
【請求項５】
請求項４に記載の安全メスであって、
前記使い捨て式の刃カートリッジは、摩擦力を供給して、前記刃の移動を防止する機械式制動部を備える
ことを特徴とする安全メス。
【請求項６】
請求項５に記載の安全メスであって、
前記機械式制動部は、前記非使い捨て式のメスハンドルが取り外されたときのみに、摩擦力を供給して、前記刃の移動を防止する、少なくとも１つの要素を備える
ことを特徴とする安全メス。
【請求項７】
請求項６に記載の安全メスであって、
前記使い捨て式の刃カートリッジは、前記非使い捨て式のメスハンドルを受容するための空間を有し、
前記機械式制動部が、前記非使い捨て式のメスハンドルのために設けられた前記空間内に弾性的に突出する指部を含むことにより、前記機械式制動部が前記刃の移動を妨げることが防止されている
ことを特徴とする安全メス。
【請求項８】
請求項７に記載の安全メスであって、
前記非使い捨て式のメスハンドルが所定位置外にあるときに前記刃ホルダの少なくとも一部分と弾性的に係合するように前記指部が構成されていることにより、前記非使い捨て式のメスハンドルを不使用で前記刃の移動が防止されている
ことを特徴とする安全メス。
【請求項９】
請求項８に記載の安全メスであって、
前記非使い捨て式のメスハンドルは、延出部材を備え、
前記使い捨て式の刃カートリッジは、前記延出部材と係合するための留具を備え、
前記指部は、接触平坦部を含み、該接触平坦部は、前記留具が前記延出部材と係合したときに前記接触平坦部が前記刃ホルダと接触する位置と近接する、面取りされた面を有する
ことを特徴とする安全メス。
【請求項１０】
請求項５に記載の安全メスであって、
使用されているときに、前記刃の偶発的な後退を防止するための安全留具をさらに含み、
前記安全メスは、
ａ：摺動ノブであって、少なくとも部分的に前記刃ガードの外側にあり、前記刃と機械的に連結することで、前記摺動ノブの移動が前記刃の移動を引き起こす摺動ノブと、
ｂ：基部と、解除可能な係合部と、を備える前記摺動ノブと、
ｃ：前記解除可能な係合部を受容する大きさの留具部であって、前記刃が最大限延出された位置にあるときに、前記留具部と係合部とが係合するように前記刃ガード上に配置される留具部と、
を備えることを特徴とする安全メス。
【請求項１１】
請求項１０に記載の安全メスであって、
前記係合部は、
前記基部から延出し、且つ、自由端を有し、且つ、前記基部から離間されている弾性部を備える
ことを特徴とする安全メス。
【請求項１２】
請求項１１に記載の安全メスであって、
前記弾性部は、弓状で押下可能であり、該弾性部の自由端に留具を備え、
前記留具部は、前記留具を受容する大きさの受容部を備え、前記弾性部が押下されていないときに、前記留具が前記受容部内に係合可能であることにより、前記刃の移動を防止する
ことを特徴とする安全メス。
【請求項１３】
長手方向の軸を有するメスハンドルと、
前記メスハンドルに取り付け可能な刃カードリッジと、を備え、
前記刃カートリッジは、前記長手方向の軸に沿った方向にのみ、摺動可能で、取り外し可能に前記メスハンドルに取り付けられる
ことを特徴とする安全メス。
【請求項１４】
メスハンドルに刃カートリッジを取り付ける方法であって、
刃カートリッジの近位端に配設された開口を、メスハンドルの遠位端へと位置決めすることと、
前記メスハンドルの長手方向の軸に沿った方向に前記刃カートリッジを摺動させることと、
を含むことを特徴とする方法。
【請求項１５】
請求項１４に記載の方法であって、
前記刃カートリッジの留具が、前記メスハンドルの延出部材と係合する
ことを特徴とする方法。
【請求項１６】
請求項１５に記載の方法であって、
掛止アセンブリが、前記メスハンドルの開口に係合する
ことを特徴とする方法。
【請求項１７】
請求項１５に記載の方法であって、
さらに、
前記メスハンドルが前記刃カートリッジ内に部分的に受容された位置にあるときを除いて、前記刃カートリッジ内での前記刃の移動を防止するステップを含む
ことを特徴とする方法。
【請求項１８】
請求項１４に記載の方法であって、
さらに、
前記刃の移動を防止する摩擦力を印加するステップと、
前記メスハンドルが前記刃カートリッジ内に挿入されたときに、前記力を除去するステップと、
を含むことを特徴とする方法。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
分注タップに取り付けられる液体分注装置であって、タップに取り付けるためのコネクタと、タップをオンにすることによってタップから分注される液体の量を検知するセンサと、タップと係合する操作アームと、必要量の液体がタップから分注されたことのセンサからの知らせに応じて、操作アームに係合してタップをオフにさせる電磁石を含むコントローラとを含むことを特徴とする液体分注装置。
【請求項２】
センサは、容器内の液体および／または泡のレベルを検知して、容器内の液体および／または泡が所定のレベルに達したときにオフ信号を供給するレベル検出器を含むことを特徴とする請求項１記載の液体分注装置。
【請求項３】
タップをオフにする位置へと操作アームを付勢するばね手段を備えることを特徴とする請求項１または２記載の液体分注装置。
【請求項４】
ばね手段は、操作アームとコネクタに固定されたフレームとの間に結合された引っ張りばねを含むことを特徴とする請求項３記載の液体分注装置。
【請求項５】
コントローラは、保持信号によって作動されたときに、操作アームを静止位置に保持し、保持信号が除去されたときに、操作アームを解放してタップをオフにすることを特徴とする請求項１〜４のいずれか１項に記載の液体分注装置。
【請求項６】
コントローラは、操作アームを静止位置に保持する保持信号を供給し、必要量の液体がタップから分注されたことのセンサからの知らせに応じて、保持信号を除去する電子制御回路を含むことを特徴とする請求項１〜５のいずれか１項に記載の液体分注装置。
【請求項７】
フレームは、回転可能にコネクタに結合されるプレートであって、フレームの方向付けをロックする手段を含むプレートを含むことを特徴とする請求項４記載の液体分注装置。
【請求項８】
操作アームは、２つの端部領域を有し、プレート上で両方の端部領域の中間で回動して、操作アームの他方の端部領域が必要な方向に向けられたときに、操作アームの一方の端部領域がタップをオフにする位置まで回動することを特徴とする請求項７記載の液体分注装置。
【請求項９】
操作アームは、横に延びてタップに達し、タップをそのオフ位置へと回動させるクロスバーを有することを特徴とする請求項１〜８のいずれか１項に記載の液体分注装置。
【請求項１０】
クロスバーは、タップが手動でオフ位置に動かされることを可能にする操作不能位置に移動可能であることを特徴とする請求項９記載の液体分注装置。
【請求項１１】
タップから分注される液体で容器が満たされる間、容器を支持する容器支持体を備えることを特徴とする請求項１〜１０のいずれか１項に記載の液体分注装置。
【請求項１２】
センサは、コネクタに結合されたチューブに対して摺動可能に係合し得るセンサ支持基体に、取り外し可能に取り付けられることを特徴とする請求項１〜１１のいずれか１項に記載の液体分注装置。
【請求項１３】
容器支持体は回動可能にチューブに結合されて、容器支持体がその軸線周りに回転し得ることを特徴とする請求項１２記載の液体分注装置。
【請求項１４】
液体分注装置から分注された液体のデータを収容して、分注された液体のデータが遠隔地に送信され得るようにする記憶媒体であって、液体分注装置が、液体分注装置をタップに取り付けるためのコネクタと、タップをオンにすることによってタップから分注される液体の量を検知するセンサと、タップと係合する操作アームと、必要量の液体がタップから分注されたことのセンサからの知らせに応じて、操作アームにタップをオフにさせるコントローラとを含むことを特徴とする記憶媒体。
【請求項１５】
分注タップからの液体の流れを適切に導くために分注タップに取り付けられる液体分注器具であって、可撓性のチューブと、動作可能に可撓性のチューブに結合されて、チューブを湾曲状態にさせる調節要素と、液体がチューブの端部から必要な方向に分注される湾曲状態にチューブが保持される位置に調節要素を保持するロック要素とを含むことを特徴とする液体分注器具。